(57)【要約】【課題】間仕切壁の施工が簡易であって、パネルと該パネルの下辺を支持する部材に掛かる水平荷重に抗する機能を備える巾木を備えた間仕切壁の構造について提案する。【解決手段】パネル３０と、略門字状断面形状を有しパネル３０の上端部を挿入して支持する上レール２０と、パネル３０の下端部に接続され該パネル３０を支持する下レール４０と、下レール４０及びパネル３０下縁部を覆う巾木５０とを少なくとも備えて間仕切壁１０を構成し、巾木５０の裏面下部に溝形状部を形成するとともに、該溝形状部に挿入する起立部４２を下レール４０に形成し、パネル３０及び下レール４０の各々に自由端を有する面形状部として被挟持部３３ｂ・４５を形成するとともに、これらの面形状部を重ね合わせた状態で上下方向から挟み込む挟持部５４を巾木５０の裏面に形成した。【選択図】図１
2008008056.tif 000002
【特許請求の範囲】
【請求項１】
パネルと、略門字状断面形状を有し前記パネルの上端部を挿入して支持する上レールと、前記パネルの下端部に接合され該パネルを支持する下レールと、該下レール及び前記パネル下縁部を覆う巾木とを少なくとも備える間仕切壁であって、
前記巾木の裏面下部に溝形状部を形成するとともに、該溝形状部に挿入される起立部を前記下レールに形成し、
前記パネル及び前記下レールの各々に自由端を有する面形状部を形成するとともに、これらの面形状部を重ね合わせた状態で上下方向から挟み込む挟持部を前記巾木の裏面に形成した
ことを特徴とする間仕切壁。
【請求項２】
前記パネルの下端部と前記下レールとの接合部に、
前記下レールに対して前記パネルを下方へ移動させることにて、前記パネルを面外方向に移動不能に嵌合する嵌合形状を備えることを特徴とする、
請求項１に記載の間仕切壁。
【発明の詳細な説明】
【技術分野】
【０００１】
本発明は、間仕切壁の構造に関する。詳しくは、間仕切壁の下部に備えられる巾木の構造に関する。
【背景技術】
【０００２】
従来、可動間仕切壁は、単数又は複数のパネルを連結して構成される。この間仕切壁の下縁部には、装飾や保護のための化粧部材として巾木が備えられる。
巾木のパネル側への固定形態として、螺子、接着剤、釘、磁石又は吸盤等の固定手段を用いるものや、巾木が備える係合形状とパネル側が備える被係合形状とを係合するものや、これらを複合したもの等が知られている。
【０００３】
また、前記巾木にて隠蔽される間仕切壁の下縁部を、配線のための空間として利用する技術が知られている。
例えば、特許文献１では、パネルを高さ調節可能に支持するアジャスタボルトが配置される該パネル下方の空間に巾木受けを設け、巾木の下端部から突出した係止片を前記巾木受けに係止させるとともに、該巾木の上部をマグネット又は吸着盤でパネル面に密着させることにて、パネルに巾木を固定する技術が公開されている。なお、前記アジャスタボルトが配置されるパネル下方の巾木にて隠蔽される空間には、電気ケーブルが配線される。
【０００４】
上述のように、間仕切壁の下縁部に備えられる巾木は、化粧部材としての機能を有するが、パネルと該パネルの下端部を支持する部材（例えば、下レール）とを連結する機能を備えるものは知られていない。つまり、巾木には、パネルと該パネルの下端部を支持する部材との連結を補強する機能や、パネルに加わる水平荷重を負担する機能などは、備えられない。
【０００５】
例えば、特許文献２に記載のように、パネルと該パネルの下辺を支持する部材との間に巾木を釘やビス等を用いて固定する場合、前記巾木にてパネルに掛かる水平荷重を多少負担できるとも考え得るが、根本的に該巾木は水平荷重に抗するために設けられているものではない。また、上述のように、巾木で隠蔽される間仕切壁の下縁部を配線空間として利用する場合には、配線の変更を容易とするために巾木を着脱可能な構成とすることが好適である。
【特許文献１】実開平６−２０６３４号公報
【特許文献２】特開平１１−７１８４５号公報
【発明の開示】
【発明が解決しようとする課題】
【０００６】
上記に鑑み、本発明では、上下のレール間にパネルを立設して成る間仕切壁であって、パネルに対して着脱可能な巾木に、パネルと該パネルの下端部を支持する部材との連結を補強するとともに、前記パネルに掛かる水平荷重に抗する機能を備える構造について提案する。
【課題を解決するための手段】
【０００７】
本発明の解決しようとする課題は以上の如くであり、次にこの課題を解決するための手段を説明する。
【０００８】
即ち、請求項１においては、パネルと、略門字状断面形状を有し前記パネルの上端部を挿入して支持する上レールと、前記パネルの下端部に接合され該パネルを支持する下レールと、該下レール及び前記パネル下縁部を覆う巾木とを少なくとも備える間仕切壁であって、前記巾木の裏面下部に溝形状部を形成するとともに、該溝形状部に挿入される起立部を前記下レールに形成し、前記パネル及び前記下レールの各々に自由端を有する面形状部を形成するとともに、これらの面形状部を重ね合わせた状態で上下方向から挟み込む挟持部を前記巾木の裏面に形成したものである。
【０００９】
請求項２においては、前記パネルの下端部と前記下レールとの接合部に、前記下レールに対して前記パネルを下方へ移動させることにて、前記パネルを面外方向に移動不能に嵌合する嵌合形状を備えるものである。
【発明の効果】
【００１０】
本発明の効果として、以下に示すような効果を奏する。
【００１１】
本発明によれば、巾木はパネル及び下レールより着脱可能であり、間仕切壁の組立又は解体が簡易である。また、間仕切壁に巾木を備えることにて、パネルと該パネルの下端部を支持する部材である下レールとの連結が補強され、前記パネルに掛かる水平荷重に抗して間仕切壁の倒壊を防止することができる。
【発明を実施するための最良の形態】
【００１２】
次に、発明の実施の形態を説明する。
図１は本発明の一実施例に係る間仕切壁の構成を示す側面断面図、図２は巾木の側面図、図３は別形態の巾木の側面図である。
図４は間仕切壁の設置工程を説明する図である。
図５は間仕切壁の下部を配線空間として利用した様子を示す側面断面図、図６は接続板を挿入する様子を示す巾木の背面図、図７は接続板にて接続された巾木の様子を示す正面図である。
図８は巾木にコンセントを備えた様子を示す正面図、図９は巾木にコンセントボックスを備えた様子を示す側面断面図である。
【００１３】
図１に示すように、本発明の実施例に係る間仕切壁１０は、パネル３０と、略門字状断面形状を有し前記パネル３０の上端部を挿入して支持する上レール２０と、前記パネル３０の下端部に接合され該パネル３０を支持する下レール４０と、該下レール４０及び前記パネル３０の下縁部を覆う巾木５０とを、少なくとも備えて構成される。
前記間仕切壁１０は、室内空間の任意の場所に設置したり、所望に応じて除去したりすることができる。また、前記間仕切壁１０は、複数連設することができる。
【００１４】
続いて、上記間仕切壁１０の各構成部材について詳細に説明する。
以下、間仕切壁１０を構成するパネル３０の表面又は裏面と略平行な方向を『面内方向』と記載し、このパネル３０の表面又は裏面に垂直な方向を『面外方向』と記載する。
【００１５】
［上レール２０］
前記上レール２０は、面外方向の断面形状が略門字状の長尺物である。上レール２０の上面は、ビス等の固定手段２２を用いて天井１１に固定され、該上レール２０の開放された下面にはパネル３０の上端部が挿入される。この上レール２０にて、パネル３０の上端部が面外方向に移動不能に保持される。
【００１６】
［パネル３０］
前記パネル３０は間仕切壁１０の壁面構成部材であって、上枠部材３１、下枠部材３３、及び左右枠部材（図示略）にて略矩形状に組まれた枠体の表裏両面に表装板３２・３２が張設されて構成される。
前記表装板３２・３２間には、遮音部材や断熱部材等を装填することもできる。また、前記枠体は矩形四周枠に限定されるものではなく、対向する枠部材間や対角に補強杆を架設するなどして、適宜補強部材を備えることもできる。
【００１７】
前記パネル３０の下端面、すなわち、下枠部材３３の下面は、下レール４０とパネル３０との接合部である。この接合部の構造については、後述する。
【００１８】
［下レール４０］
前記下レール４０は、略ＩＩ（ローマ数字の２）字状断面形状を有する長尺物であって、上下に略平行に配置された底板部４１及び上板部４７と、これら上下の板状部材を繋ぐ二本の柱脚部４３・４３とを有する。この下レール４０は前記パネル３０の下端部に接合され、該パネル３０の下端部が該下レール４０にて支持される。
【００１９】
前記下レール４０は前記上レール２０と略平行に配設され、該下レール４０の底板部４１は、面ファスナー４８にて床１２に固着される。
下レール４０は床１２に面ファスナー４８を用いて接着されるので、ビスや釘等による床板の損傷が防止され、間仕切壁１０を除去した後の床板の補修作業が不要となる。また、ビスや釘等を床１２に打ち込まないので、該床１２の内部に敷設される床暖房によって、間仕切壁１０の配置が限定されることがない。さらに、間仕切壁１０が面外方向に振れた際には、床１２と面ファスナー４８との間で剥離と接着とが繰り返される結果、振れが止むと接着された状態に復元するので、接着テープを使用する場合と比較して剥がれ難い。
【００２０】
また、前記下レール４０の底板部４１の側縁は上方へ折り曲げられて、起立部４２・４２が設けられる。該起立部４２・４２は、巾木５０の裏面下部に設けられた溝形状部である係止部５７に挿入されるものであり、下レール４０と巾木５０の下部とを係合するためのものである。
【００２１】
前記柱脚部４３・４３は、底板部４１と上板部４７との間を繋ぐ略垂直面を有し、該柱脚部４３の上下略中央部には、付属品取付部４４が設けられる。この付属品取付部４４は、柱脚部４３より略水平方向に突出する略Ｃ字状断面形状を有する突条であって、当該付属品取付部４４に付属品を係止させたり、弾性嵌合させたりして、付属品を取り付けることができる。
【００２２】
前記柱脚部４３・４３の上端部に連結された上板部４７には、パネル３０と下レール４０の接合部が形成される。この接合部の構造については、後述する。
【００２３】
［巾木５０］
前記巾木５０は、間仕切壁１０の下縁部を装飾したり、該間仕切壁１０を保護したりする装飾部材であるとともに、前記パネル３０と下レール４０との連結を補強する部材である。本実施例において、前記巾木５０は樹脂材料を押出成形することにて製造される。
【００２４】
図２にも示すように、前記巾木５０の大部分は、面状部材である巾木本体５１で構成され、該巾木本体５１の表面は波面状に起伏して意匠性が備えられる。
前記巾木本体５１には、上縁部に上ヒレ部５２が、下縁部に下ヒレ部５３が設けられる。また、巾木本体５１の裏面側には、上方から順に、挟持部５４、板支持部５５・５６及び係止部５７がそれぞれ設けられる。
【００２５】
前記巾木本体５１は、下レール４０と、パネル３０の下縁部とを覆う高さを少なくとも有し、該巾木本体５１の上端から前記挟持部５４までには、パネル３０への定着高さＨが確保される。つまり、巾木５０は下レール４０のみを覆うのではなく、下レール４０及びパネル３０の下縁部を覆うように形成される。前記定着高さＨを確保することで、摩擦力により巾木５０がパネル３０に対してズレ難くなり、また、パネル３０と下レール４０との接合部の連結強度の向上に寄与することができる。
【００２６】
前記上ヒレ部５２及び下ヒレ部５３は軟質エラストマー等の軟質樹脂素材で成り、図１に示すように、巾木５０がパネル３０及び下レール４０に取り付けられたときに、上ヒレ部５２はパネル３０と圧接して弾性変形し、パネル３０と巾木５０との間隙を閉塞する。また、下ヒレ部５３は床１２と圧接して弾性変形し、巾木５０、下レール４０及び床１２の間隙を閉塞する。
この巾木５０に形成された上ヒレ部５２及び下ヒレ部５３によって、間仕切壁１０に巾木５０が密着して納まりが良好となり、また、巾木５０のガタつきや落脱が防止される。
【００２７】
前記挟持部５４は、前記パネル３０の構成部分と前記下レール４０の構成部分とを重ね合わせた状態で上下方向から挟み込むために、巾木本体５１の裏面に設けられた略水平方向に開放する溝形状部である。前記挟持部５４の溝形状の入口は蟻柄状とされる。
なお、前記挟持部５４は、樹脂素材で成る巾木本体５１に一体的に形成されるが、当該挟持部５４のみを金属素材で形成して巾木本体５１に固設することもできる。
【００２８】
前記板支持部５５・５６は、巾木本体５１の裏面に該巾木本体５１と略平行に板状部材を保持するために、巾木本体５１の裏面において挟持部５４と係止部５７との間に形成された上下一対の対峙する溝形状部である。上側の板支持部５５は、下方へ開放する溝形状部であって、下側の板支持部５６は、上方へ開放する溝形状部である。
【００２９】
前記係止部５７は、前記下レール４０に形成された起立部４２を挿入して巾木５０を該下レール４０に係止させるために、巾木本体５１の裏面下部に設けられた下方に開放する溝形状部である。前記係止部５７は、前記下レール４０に形成された起立部４２を挿入可能に形成される。
【００３０】
なお、本実施例においては、巾木本体５１の裏面に形成された３つの突条７１・７２・７３にて、前記挟持部５４、板支持部５５・５６及び係止部５７が設けられる。
前記挟持部５４として、巾木本体５１の裏面に上下に略平行に二つの突条７１・７２が設けられる。そして、挟持部５４を構成する下方の突条７２に垂下部７２ａが備えられ、該垂下部７２ａと巾木本体５１の裏面とで下方開放の溝形状部である板支持部５５が形成される。また、巾木本体５１の下部に略水平方向へ突出する略Ｔ字状断面形状を有する突条７３が設けられ、該突条７３と巾木本体５１の裏面との間で、上方開放の溝形状部である板支持部５６と、下方開放の溝形状部である係止部５７とが形成される。
【００３１】
但し、巾木５０の形態は上記構成に限定されるものではない。例えば、図３に示すように、挟持部５４として巾木本体５１の裏面の上部に上下一組の突条を形成し、板支持部５５及び板支持部５６として巾木本体５１の裏面に上下一組の突条を形成し、係止部５７として、巾木本体５１の裏面の下部に１つの突条を形成することもできる。
【００３２】
［パネル３０と下レール４０の接合部の構造］
続いて、前記パネル３０と前記下レール４０との接合部の構造について、詳細に説明する。
【００３３】
パネル３０と下レール４０との接合部には、床１２に固定された下レール４０に対してパネル３０を下方へ移動させることにて、該パネル３０を面外方向に移動不能な状態に嵌合する嵌合形状が備えられる。
【００３４】
本実施例においては、前記パネル３０側の接合部として、下枠部材３３の下面に面内方向に伸びる嵌合溝３３ａが形成される。一方、下レール４０側の接合部として、下レール４０の上板部４７の上面に前記パネル３０の嵌合溝３３ａに嵌入する二本の突条４６・４６が形成される。
前記嵌合溝３３ａに突条４６・４６が嵌入されると、該突条４６・４６が嵌合溝３３ａの内周に接することにより、下レール４０に対するパネル３０の面外方向の移動が規制される。
【００３５】
なお、前記パネル３０と下レール４０との接合部の形状は本実施例に限定されるものではなく、下レール４０に対してパネル３０を上下方向に相対移動させることにて、該パネル３０を面外方向に移動不能な状態に嵌合できる形状であれば構わない。
【００３６】
さらに、パネル３０と下レール４０との接合部には、自由端を有する面形状部がパネル３０及び下レール４０の各々に形成される。これらの面形状部は、上下に重ね合わされた状態で、巾木５０の裏面に形成された挟持部５４に上下方向から挟み込まれて保持される。
【００３７】
本実施例において、前記パネル３０側の接合部には、下枠部材３３の下面に略Ｌ字状断面形状を有する突条が、二本形成される。この突条は、下枠部材３３の下端部より垂下する垂直面と、該垂直面の下端から面外方向へ略水平方向に伸びる水平面とを有し、当該水平面が被挟持部３３ｂとされる。この被挟持部３３ｂは、巾木５０の挟持部５４に挟持される自由端を有する面形状部であって、該被挟持部３３ｂの端部には、鉤型突条が形成される。
一方、前記下レール４０側の接合部では、上板部４７の両方の側縁部分が自由端を有する面形状部である被挟持部４５・４５とされる。該被挟持部４５の端部には、垂下する係止用リブが形成される。
【００３８】
前記パネル３０の被挟持部３３ｂ・３３ｂと、下レール４０の被挟持部４５・４５とは、それぞれの面形状部が上下に重ね合わされた状態で、溝形状部である巾木５０の挟持部５４に挿入され、該挟持部５４にて上下方向から挟み込まれた状態で挟持される。
【００３９】
続いて、図４を用いて上記構成の間仕切壁１０の設置工程について説明する。
【００４０】
先ず、図４（ａ）に示すように、天井１１に上レール２０をビス等の固定手段２２にて固定し、床１２に下レール４０を面ファスナー４８にて固定する。
なお、上レール２０と下レール４０とは、略平行となるように墨出し等が行われ位置決めされる。
【００４１】
続いて、図４（ｂ）に示すように、パネル３０を傾けた状態で該パネル３０の上部を上レール２０の奥部まで挿入したのち、該パネル３０を略垂直に起立させ、このパネル３０の姿勢を保持したまま該パネル３０を降下させる。
この手順により、図４（ｃ）に示すように、パネル３０の嵌合溝３３ａに、下レール４０の突条４６・４６が嵌入して、下レール４０にパネル３０が立設される。このとき、下レール４０の被挟持部４５・４５と、パネル３０の被挟持部３３ｂ・３３ｂとは、上下に重ね合わさった状態となる。
【００４２】
最後に、図４（ｄ）に示すように、パネル３０と下レール４０とに巾木５０を取り付ける。
巾木５０をパネル３０及び下レール４０に取り付ける際には、図１の二点鎖線で示すように、先ず、巾木５０を傾けた状態で、下レール４０の起立部４２を巾木５０の係止部５７に挿入し、続いて、前記巾木５０の姿勢が略垂直となるまで係止部５７を中心として巾木５０を回転させる。
巾木５０を回転させるうちに、該巾木５０の挟持部５４に、パネル３０の被挟持部３３ｂと下レール４０の被挟持部４５とが挿入され、巾木５０の姿勢が略垂直となれば、該巾木５０の挟持部５４にてパネル３０の被挟持部３３ｂと下レール４０の被挟持部４５とが重ね合わされた状態で挟み込まれる。
【００４３】
上述のように、巾木５０の係止部５７が下レール４０の起立部４２に係止されることによって、該巾木５０の下部が下レール４０に固定される。
また、下レール４０の被挟持部４５とパネル３０の被挟持部３３ｂとが上下に重ね合わされた状態で巾木５０の挟持部５４に挟持されることによって、巾木５０の上部が下レール４０及びパネル３０に固定されるとともに、該巾木５０によりパネル３０と下レール４０との上下方向の相対移動が規制される。
【００４４】
なお、一旦挟持部５４に被挟持部３３ｂ・４５が挿入されると、パネル３０の被挟持部３３ｂの鉤型突条と下レール４０の被挟持部４５の係止用リブとが、挟持部５４の蟻柄に係止されることによって、挟持部５４は被挟持部３３ｂ・４５から容易に落脱することはない。
但し、挟持部５４は弾性変形可能であるので、巾木本体５１をパネル３０及び下レール４０より引き剥がす方向に荷重を与えて挟持部５４を弾性変形させれば、被挟持部３３ｂ・４５を挟持部５４より抜き出すことができる。つまり、巾木５０はパネル３０及び下レール４０より着脱可能に構成され、間仕切壁１０の組立又は解体は簡易である。
【００４５】
上述のように立設された間仕切壁１０は、下記（１）〜（３）に示す構造的特徴を有する。
（１）パネル３０及び下レール４０の各々に自由端を有する面形状部である被挟持部３３ｂ・４５を形成するとともに、これらの面形状部を重ね合わせた状態で上下方向から挟み込む挟持部５４を巾木５０の裏面に形成したので、巾木５０にてパネル３０と下レール４０との上下方向の相対移動が規制される。
（２）パネル３０の下端部と下レール４０との接合部に、下レール４０に対してパネル３０を下方へ移動させることにて、パネル３０を面外方向に移動不能に嵌合する嵌合形状である嵌合溝３３ａと突条４６・４６を備えたので、これらを嵌合させることにより、パネル３０と下レール４０との面外方向の相対移動が規制される。
（３）巾木５０を弾性変形可能な素材で構成したので、パネル３０が下レール４０に対して略水平方向に位置ずれしようとすると、そのパネル３０の動きに追従して多少変形したのち弾性回復する。
【００４６】
上記（１）〜（３）に示す構造的特徴により、間仕切壁１０に備える巾木５０・５０により、パネル３０に面外方向の荷重が掛かったとしても、パネル３０と下レール４０との接続は解除されることなく、パネル３０に掛かる水平荷重に抗することができる。つまり、間仕切壁１０に備える巾木５０・５０により、パネル３０と該パネル３０の下端部を支持する部材である下レール４０との連結が補強され、前記パネル３０に掛かる水平荷重に抗して間仕切壁１０の倒壊を防止することができる。
【００４７】
なお、上述のように立設された間仕切壁１０において、巾木５０・５０と下レール４０により形成される空間は、配線のための空間として利用することができる。
この場合、図５に示すように、下レール４０の柱脚部４３・４３に形成された付属品取付部４４・４４に、樹脂製ガイド６５・６５が取り付けられ、該樹脂製ガイド６５・６５にて巾木５０・５０と下レール４０とにより形成される配線のための空間が上下に区切られる。この配線のための空間に配線される電気ケーブル６６・６６・・・には、弱電用と強電用とがあり、通常は弱電用ケーブルと強電用ケーブルとを隔離するためにいずれかに樹脂製絶縁テープが巻回されるが、本実施例では、配線のための空間が樹脂製ガイド６５・６５にて上下に区切られているので、何れか一方に弱電用ケーブルを、他方に強電用ケーブルを配線すれば、樹脂製絶縁テープは不要となる。つまり、弱電用ケーブルと強電用ケーブルとを隔離するための作業が不要となり、簡易に配線作業を行うことができる。
【００４８】
また、上述のように立設された間仕切壁１０において、巾木５０に形成された板支持部５５及び板支持部５６にて、板状部材である接続板６０が保持される。図６に示すように、接続板６０は、巾木５０の板支持部５５にその上辺を、また、同じく板支持部５６にその下辺を位置決めした状態で、巾木５０に対してスライドさせることによって取り付けられる。
前記接続板６０は、隣接して配置される巾木５０・５０同士を接続するために使用される。つまり、図７に示すように、隣接して配置された二枚の巾木５０・５０で、一枚の接続板６０を保持することにて、これらの巾木５０・５０の位置ずれや傾きを防止して、これらの巾木５０・５０の上下方向高さ位置、及び面外方向の突出位置を揃えることができる。
【００４９】
また、前記巾木５０に形成された板支持部５５及び板支持部５６は、図８及び図９に示すように、巾木５０にコンセント６２・６２を設ける際に、該コンセント６２・６２を備えるコンセントユニット６１を巾木５０に支持させるために使用される。このように巾木５０に形成された板支持部５５及び板支持部５６に、コンセントユニット６１を挿通させて支持させるので、巾木５０からのコンセントユニット６１の着脱が簡易であり、配線作業を簡易に行うことができる。
【図面の簡単な説明】
【００５０】
【図１】本発明の一実施例に係る間仕切壁の構成を示す側面断面図。
【図２】巾木の側面図。
【図３】別形態の巾木の側面図。
【図４】間仕切壁の設置工程を説明する図。
【図５】間仕切壁の下部を配線空間として利用した様子を示す側面断面図。
【図６】接続板を挿入する様子を示す巾木の背面図。
【図７】接続板にて接続された巾木の様子を示す正面図。
【図８】巾木にコンセントを備えた様子を示す正面図。
【図９】巾木にコンセントボックスを備えた様子を示す側面断面図。
【符号の説明】
【００５１】
１０  間仕切壁
１１  天井
１２  床
２０  上レール
３０  パネル
３３  下枠部材
３３ａ  嵌合溝
３３ｂ  被挟持部
４０  下レール
４２  起立部
４５  被挟持部
４６  突条
５０  巾木
５４  挟持部
５７  係止部
【図１】
2008008056.tif 000003
【図２】
2008008056.tif 000004
【図３】
2008008056.tif 000005
【図４】
2008008056.tif 000006
【図５】
2008008056.tif 000007
【図６】
2008008056.tif 000008
【図７】
2008008056.tif 000009
【図８】
2008008056.tif 000010
【図９】
2008008056.tif 000011